(57)【要約】【課題】プライバシーの保護と監視機能強化との両立を図ることを目的とする。【解決手段】集音部で収音された音声に関する音声データに設定された音が含まれていた場合、出力データの出力を開始する。出力データに関する音声データの音量が設定された音量以下になった場合に、出力データの出力を終了する。【選択図】図２
2018186412.tif 000002
【特許請求の範囲】
【請求項１】
集音部で収音された音声に関する音声データに設定された音が含まれていた場合、出力データの出力を開始する制御手段を有し、
前記制御手段は、前記出力データに関する音声データの音量が設定された音量以下になった場合に、前記出力データの出力を終了する撮像装置。
【請求項２】
前記制御手段は、一定期間、前記出力データに関する音声データから設定された音が検出されず、かつ、一定期間、前記音声データの音量が設定された音量以下の場合に、前記出力データの出力を終了する請求項１記載の撮像装置。
【請求項３】
前記設定された音量は、前記出力データの出力を開始する前の音声データの音量である請求項１又は２記載の撮像装置。
【請求項４】
前記出力データの出力とは、前記出力データの外部装置への配信である請求項１乃至３何れか１項記載の撮像装置。
【請求項５】
前記出力データの出力とは、前記出力データの可搬メモリへの格納である請求項１乃至３何れか１項記載の撮像装置。
【請求項６】
前記出力データは、前記集音部で収音された音声に関する音声データと撮像部で撮像された画像に関する画像データとの何れか又は双方である請求項１乃至５何れか１項記載の撮像装置。
【請求項７】
集音部で収音された音声に関する音声データに設定された音が含まれていた場合、出力データの出力を開始する制御手段を有し、
前記制御手段は、前記出力データに関する音声データの音量が設定された音量以下になった場合に、前記出力データの出力を終了する情報処理装置。
【請求項８】
撮像装置が実行する情報処理方法であって、
集音部で収音された音声に関する音声データに設定された音が含まれていた場合、出力データの出力を開始する工程と、
前記出力データに関する音声データの音量が設定された音量以下になった場合に、前記出力データの出力を終了する工程と、
を含む情報処理方法。
【請求項９】
コンピュータを、請求項１乃至６何れか１項記載の撮像装置の各手段として機能させるためのプログラム。
【発明の詳細な説明】
【技術分野】
【０００１】
本発明は、撮像装置、情報処理装置、情報処理方法及びプログラムに関する。
【背景技術】
【０００２】
近年、街頭防犯や、店舗、ビル、工場内の監視を目的として、ネットワークカメラが利用されている。多くのネットワークカメラでは映像を撮像するだけではなく、外付けのマイクロフォン、又は本体に内蔵されているマイクロフォンを利用して、周辺環境の音声を録音及び配信することが可能である。監視者は監視領域の映像だけではなく音声も把握することで、監視機能の強化を図ることができる。一方、音声には映像以上にプライバシーにかかわる情報が含まれてしまうことから、むやみに音声の録音及び配信を実施することはプライバシー保護の観点から懸念がある。
ネットワークカメラの音声機能として、音量検知機能がある。音量検知機能とは、ネットワークカメラがマイクロフォンを利用して、音声における音量のモニタリングを実施し、音量が一定値以上となった、又は一定値以下となった場合にイベントの発生を検出するものである。ネットワークカメラは音量検知機能のイベントの発生を受けて、映像と音声との配信を開始するといった動作を実施することができる。音量検知機能のイベントの発生を受けたときのみ映像と音声との配信することにより、必要な場合に限り映像と音声との配信を実施することでプライバシーの保護と監視機能強化との両立が図れる。
また、ネットワークカメラには、音声内における特定の音を検知する機能がある。特定音の検知を可能にすることにより、音量検知機能では実現できなかった、音量値が一定値以上であっても異常ではない音に対する誤検知の低減や、異常音が比較的小さい場合でも検知可能になるといった利点がある。
音声内における特定の音を検知する機能に関する技術として、例えば、特許文献１に記載の技術がある。
【先行技術文献】
【特許文献】
【０００３】
【特許文献１】特開２００７−２９５４８４号公報
【発明の概要】
【発明が解決しようとする課題】
【０００４】
特許文献１の技術では、出力すべき期間を満たさずに処理を終了させてしまい、監視に必要な状況が十分に記録できずに出力が終了する可能性があった。
【課題を解決するための手段】
【０００５】
本発明の情報処理装置は、集音部で収音された音声に関する音声データに設定された音が含まれていた場合、出力データの出力を開始する制御手段を有し、前記制御手段は、前記出力データに関する音声データの音量が設定された音量以下になった場合に、前記出力データの出力を終了する。
【発明の効果】
【０００６】
本発明によれば、プライバシーの保護と監視機能強化との両立を図ることができる。
【図面の簡単な説明】
【０００７】
【図１】撮像装置のハードウェア構成の一例を示す図である。
【図２】音声等の配信に係る情報処理の一例を示すフローチャート（その１）である。
【図３】音声等の配信に係る情報処理の一例を示すフローチャート（その２）である。
【図４】撮像装置の構成の一例を示す図である。
【発明を実施するための形態】
【０００８】
以下、本発明の実施形態について図面に基づいて説明する。
【０００９】
＜実施形態１＞
図１は、実施形態１の撮像装置１００のハードウェア構成の一例を示す図である。
撮像光学系１０１は、複数枚のレンズ、絞り、赤外カットフィルタ等の光学フィルタ、ＣＣＤ又はＣＭＯＳ等の光電変換装置を含む。撮像光学系１０１は、撮像部の一例である。
画像処理部１０２は、撮像光学系１０１からの信号を基に所定の画像処理（例えばカラーバランス調整処理やガンマ補正処理等）を行った後、例えばＪＰＥＧ等の所定のフォーマットの画像ファイルを生成する。所定のフォーマットの画像ファイルは、画像データの一例である。
マイクロフォン１０３は、撮像装置１００に接続された集音装置である。マイクロフォン１０３は、撮像装置１００の周囲の音を捉え、音声信号としてアンプ１０４に出力する。マイクロフォン１０３は、集音部の一例である。
アンプ１０４は、後段のＡ／Ｄ（アナログ−デジタル）変換器１０５で処理するためにマイクロフォン１０３より入力された音声信号を増幅する。
Ａ／Ｄ変換器１０５は、アンプ１０４からのアナログ信号のデジタルサンプリングを実施することにより、デジタル音声データ（以下、音声データという）を生成する。音声データは、集音部の一例であるマイクロフォン１０３で収音された音声に関する音声データの一例である。
メモリ１０６は、画像処理部１０２出力の画像ファイルとＡ／Ｄ変換器１０５出力の音声データとの同期を取り、互いに関連付けるために、画像ファイルと音声データとを一時的に保存する。また、メモリ１０６は、Ａ／Ｄ変換器１０５出力の音声データに含まれる音声の音量に関する情報を一時的に保存する。更に、メモリ１０６は、異常音に関する特徴量データを保持する。メモリ１０６の中にメモリーカードといった可搬メモリを備え、画像ファイルと音声データとの何れか一方又は双方を保存する構成をとってもよい。
【００１０】
特徴量抽出部１０７は、例えば、Ａ／Ｄ変換器１０５の出力の音声データに対してメル周波数ケプストラム係数（ＭＦＣＣ）を導出し、知覚特性を考慮して重みづけした特徴量を導出する。
異常音判定部１０８は、特徴量抽出部１０７から出力される特徴量とメモリ１０６に格納されている異常音に関する特徴量との尤度計算を実施し、特徴量抽出部１０７から出力された特徴量から、異常音が含まれているか否かを判定する。そして、異常音判定部１０８は、判定結果を配信制御部１０９へ通知する。
配信制御部１０９は、メモリ１０６に一時的に保存されている画像ファイルを通信部１１０へ出力する。また、配信制御部１０９は、異常音判定部１０８からの異常音が含まれているか否かの通知を受けて、メモリ１０６に一時的に保存されている音声データも通信部１１０へ出力する。配信制御部１０９は、メモリ１０６に保存されている、音声データに含まれる音声の音量に関する情報をモニタし、画像ファイルや音声データを通信部１１０へ出力するかを判定する。配信制御部１０９は、異常音判定部１０８からの異常音が含まれているか否かの通知を受けて、メモリ１０６に一時的に保存されている画像ファイルや音声データをメモリ１０６内の可搬メモリにコピーする処理を取ってもよい。
通信部１１０は、例えば、ＴＣＰ／ＩＰやＵＤＰといった伝送するネットワークプロトコルに合わせて画像ファイルと音声データとの配信を実施する。
【００１１】
図２は、実施形態１の撮像装置１００による音声等の配信に係る情報処理の一例を示すフローチャートである。
撮像装置１００の電源起動後に、Ｓ２０１において、マイクロフォン１０３は、撮像装置１００周辺の音を集音する。アンプ１０４は、集音された音声信号を増幅する。Ａ／Ｄ変換器１０５は、アンプ１０４の出力より音声データを生成する。メモリ１０６は、Ａ／Ｄ変換器１０５により生成される音声データの音量を、音量の変数である、Ａの初期値として格納する。一定期間経過後、撮像装置１００は、Ｓ２０２の処理に移行する。
Ｓ２０２において、マイクロフォン１０３は、撮像装置１００周辺の音を集音する。アンプ１０４は、集音された音声信号を増幅する。Ａ／Ｄ変換器１０５は、アンプ１０４の出力により音声データを生成する。また、Ａ／Ｄ変換器１０５は、生成した音声データの音量をメモリ１０６に一時的に格納する。
Ｓ２０３において、特徴量抽出部１０７は、Ｓ２０２で生成された音声データの特徴量を導出する。
Ｓ２０４において、異常音判定部１０８は、Ｓ２０３で生成された、特徴量抽出部１０７から出力される特徴量とメモリ１０６に格納されている異常音に関する特徴量との尤度計算を実施し、異常音が含まれているかを判定する。異常音判定部１０８は、異常音が含まれていないと判定した場合（Ｓ２０４／Ｎｏ）、Ｓ２０５に進む。
Ｓ２０５において、異常音判定部１０８は、音量の変数Ａの値をＳ２０２でメモリ１０６に格納された音声データの音量の値で更新する。
【００１２】
また、異常音判定部１０８は、異常音が含まれていると判定した場合（Ｓ２０４／Ｙｅｓ）、配信制御部１０９に音声に異常音がある旨を通知し、Ｓ２０６に進む。
Ｓ２０６において、配信制御部１０９は、異常音判定部１０８から音声に異常音がある旨の通知をうけて、メモリ１０６に格納されている画像ファイルと音声データとを読み出し、通信部１１０へ各データを送信する。配信制御部１０９が既に画像ファイルを通信部１１０へ送信している場合、配信制御部１０９は、音声データを通信部１１０へ送信する処理を開始してもよい。また、配信制御部１０９は、通信部１１０へ各データを送信する処理の代わりに、メモリ１０６内の可搬メモリ内に画像ファイルと音声データとを格納する処理を行ってもよい。この場合、配信制御部１０９が既に画像ファイルをメモリ１０６内の可搬メモリ内に既に格納する処理を行っている場合、配信制御部１０９は、音声データを可搬メモリ内に格納する処理を開始してもよい。配信制御部１０９は、画像ファイルと音声データとの何れか一方又は双方を出力してもよい。画像ファイルと音声データとの何れか一方又は双方は出力データの一例である。但し、以下の本実施形態では説明の簡略化のため、特に言及しない限り、画像ファイルと音声データとの双方を出力するものとして説明を行う。
Ｓ２０７において、配信制御部１０９は、送信中の音声データの音量を、音量の変数、Ｂとしてメモリ１０６に格納する。メモリ１０６に格納される音量Ｂの更新はリアルタイムでもよく、一定周期（例えば１秒）でもよい。画像ファイルのみが出力される場合、出力された画像ファイルに対応する音声データはメモリ１０６に記憶されており、配信制御部１０９は、出力中の画像ファイルに対応する音声データを音量の変数Ｂとする。
Ｓ２０８において、配信制御部１０９は、メモリ１０６に格納されている音量の変数Ａと音量の変数Ｂとの値を比較する。配信制御部１０９は、比較した結果、変数Ａの値より変数Ｂの値が大きい場合（Ｓ２０８／Ｎｏ）、即ち音声配信前の音量より音声配信後の音量が大きい場合、配信制御部１０９は、配信を継続させ、Ｓ２０７に進む。比較した結果、変数Ｂの値が変数Ａの値以下の場合（Ｓ２０８／Ｙｅｓ）、即ち音声配信後の音量が音声配信前の音量以下の場合、配信制御部１０９は、Ｓ２０９に進む。配信前の音量は、設定された音量の一例である。
Ｓ２０９において、配信制御部１０９は、通信部１１０へ各データを送信する終了を終了する。また、配信制御部１０９は、音声データのみ配信を終了させてもよい。また、配信制御部１０９は、メモリ１０６内の可搬メモリ内にデータを格納する処理を行っている場合、可搬メモリ内の音声データの格納、又は、画像ファイル及び音声データの格納の処理を終了させてもよい。
【００１３】
本実施形態によれば、音声内における特定の音を検知し、映像と音声との何れか又は双方の出力を開始し、適切なタイミングで配信処理の終了を行うことができる。つまり、音声の状況に基づいた適切な出力開始と出力終了とを可能とすることで、プライバシーの保護と監視機能強化との両立を図ることができる。
【００１４】
＜実施形態２＞
実施形態２の撮像装置１００のハードウェア構成は実施形態１と同様である。
図３は、実施形態２の撮像装置１００による音声等の配信に係る情報処理の一例を示すフローチャートである。
撮像装置１００の電源起動後に、Ｓ３０１において、マイクロフォン１０３は、撮像装置１００周辺の音を集音する。アンプ１０４は、集音された音声信号を増幅する。Ａ／Ｄ変換器１０５は、アンプ１０４の出力より音声データを生成する。メモリ１０６は、Ａ／Ｄ変換器１０５により生成される音声データの音量を、音量の変数である、Ａの初期値として格納する。一定期間経過後、撮像装置１００は、Ｓ３０２の処理に移行する。
Ｓ３０２において、マイクロフォン１０３は、撮像装置１００周辺の音を集音する。アンプ１０４は、集音された音声信号を増幅する。Ａ／Ｄ変換器１０５は、アンプ１０４の出力をより音声データを生成する。また、Ａ／Ｄ変換器１０５は、生成した音声データの音量をメモリ１０６に一時的に格納する。
Ｓ３０３において、特徴量抽出部１０７は、Ｓ３０２で生成された音声データの特徴量を導出する。
Ｓ３０４において、異常音判定部１０８は、Ｓ３０３で生成された、特徴量抽出部１０７から出力される特徴量とメモリ１０６に格納されている異常音に関する特徴量との尤度計算を実施し、異常音が含まれているかを判定する。異常音判定部１０８は、異常音が含まれていないと判定した場合（Ｓ３０４／Ｎｏ）、Ｓ３０５に進む。
Ｓ３０５に進むと、異常音判定部１０８は、音量の変数Ａの値をＳ３０２でメモリ１０６に格納された音声データの音量の値で更新する。
【００１５】
また、異常音判定部１０８は、異常音が含まれていると判定した場合（Ｓ３０４／Ｙｅｓ）、配信制御部１０９に音声に異常音がある旨を通知し、Ｓ３０６に進む。
Ｓ３０６において、配信制御部１０９は、異常音判定部１０８から音声に異常音がある旨の通知をうけて、メモリ１０６に格納されている画像ファイルと音声データとを読み出し、通信部１１０へ各データを送信する。配信制御部１０９が既に画像ファイルを通信部１１０へ送信している場合、配信制御部１０９は、音声データを通信部１１０へ送信する処理を開始してもよい。また、配信制御部１０９は、通信部１１０へ各データを送信する処理の代わりに、メモリ１０６内の可搬メモリ内に画像ファイルと音声データとを格納する処理を行ってもよい。この場合、配信制御部１０９が既に画像ファイルをメモリ１０６内の可搬メモリ内に既に格納する処理を行っている場合、配信制御部１０９は、音声データを可搬メモリ内に格納する処理を開始してもよい。配信制御部１０９は、画像ファイルと音声データとの何れか一方又は双方を出力してもよい。画像ファイルと音声データとの何れか一方又は双方は出力データの一例である。但し、以下の本実施形態では説明の簡略化のため、特に言及しない限り、画像ファイルと音声データとの双方を出力するものとして説明を行う。
Ｓ３０７において、配信制御部１０９は、配信する音声データに対して一定期間モニタリングを実施する。１モニタリング当たりの単位時間は、例えば、３０秒である。画像ファイルのみが出力される場合、出力された画像ファイルに対応する音声データはメモリ１０６に記憶されている。この場合、配信制御部１０９は、出力中の画像ファイルに対応する音声データに対して一定期間モニタリングを実施する。
Ｓ３０８において、配信制御部１０９は、モニタリングを実施する期間中のＡ／Ｄ変換器１０５により生成される音声データのうち、最大の音量値を音量の変数Ｂとしてメモリ１０６に一時的に格納する。
Ｓ３０９において、特徴量抽出部１０７は、モニタリングを実施する期間中のＡ／Ｄ変換器１０５により生成される音声データの特徴量を導出する。異常音判定部１０８は、特徴量抽出部１０７から出力される特徴量とメモリ１０６に格納されている異常音に関する特徴量との尤度計算を実施する。Ｓ３０９の処理は、出力データに関する音声データから設定された音を検出する処理の一例である。
【００１６】
Ｓ３１０において、配信制御部１０９は、メモリ１０６に格納されている音量の変数Ａと音量の変数Ｂとの値を比較する。配信制御部１０９は、Ｓ３１０の判定の結果、音量の変数Ｂが音量の変数Ａ以上の場合には（Ｓ３１０／Ｙｅｓ）、Ｓ３１１に進む。
Ｓ３１１において、配信制御部１０９は、配信中の音量の傾向に関する変数Ｍの値と、配信中の音量の傾向に関する定数Ｍｍａｘの値と、を比較する。配信中の音量の傾向に関する変数Ｍの初期値は、例えば３であり、配信中の音量の傾向に関する定数Ｍｍａｘの値は５である。配信中の音量の傾向に関する変数Ｍの値と配信中の音量の傾向に関する定数Ｍｍａｘの値とはそれぞれメモリ１０６に格納されている。配信制御部１０９は、Ｓ３１１の判定の結果、配信中の音量の傾向に関する変数Ｍの値が配信中の音量の傾向に関する定数Ｍｍａｘの値よりも小さい場合（Ｓ３１１／Ｙｅｓ）、Ｓ３１２に進む。
Ｓ３１２において、配信制御部１０９は、配信中の音量の傾向に関する変数Ｍの値を１大きくする。また、配信制御部１０９は、Ｓ３１１の判定の結果、配信中の音量の傾向に関する変数Ｍが配信中の音量の傾向に関する定数Ｍｍａｘよりも大きい場合（Ｓ３１１／Ｎｏ）、Ｓ３１５に進む。
配信制御部１０９は、Ｓ３１０の判定の結果、音量の変数Ｂが音量の変数Ａより小さい場合には（Ｓ３１０／Ｎｏ）、Ｓ３１３に進む。
Ｓ３１３において、配信制御部１０９は、配信中の音量の傾向に関する変数Ｍの値が０より大きいかを比較する。
配信制御部１０９は、Ｓ３１３の判定の結果、配信中の音量の傾向に関する変数Ｍが０より大きい場合（Ｓ３１３／Ｙｅｓ）、Ｓ３１４に進む。
Ｓ３１４において、配信制御部１０９は、配信中の音量の傾向に関する変数Ｍの値を１小さくする。また、配信制御部１０９は、Ｓ３１３の判定の結果、配信中の音量の傾向に関する変数Ｍが０である場合（Ｓ３１３／Ｎｏ）、Ｓ３１５に進む。
【００１７】
Ｓ３１５において、配信制御部１０９は、異常音判定部１０８がモニタリングを実施した期間中に異常音が発生したか否かの情報を受け取る。異常音判定部１０８は、Ｓ３１５の判定の結果、異常音が発生したと判定した場合（Ｓ３１５／Ｙｅｓ）、Ｓ３１６に進む。
Ｓ３１６において、配信制御部１０９は、配信中の異常音の傾向に関する変数Ｎの値と、配信中の異常音の傾向に関する定数Ｎｍａｘの値と、を比較する。異常音の傾向に関する変数Ｎの初期値は、例えば３であり、配信中の異常音の傾向に関する定数Ｎｍａｘの値は５である。異常音の傾向に関する変数Ｎと配信中の異常音の傾向に関する定数Ｎｍａｘの値はそれぞれメモリ１０６に格納されている。
異常音判定部１０８は、Ｓ３１６の判定の結果、異常音の傾向に関する変数Ｎの値が配信中の異常音の傾向に関する定数Ｎｍａｘの値よりも小さい場合（Ｓ３１６／Ｙｅｓ）、Ｓ３１７に進む。
Ｓ３１７において、配信制御部１０９は、配信中の異常音の傾向に関する変数Ｎの値を１大きくする。また、異常音判定部１０８は、Ｓ３１６の判定の結果、配信中の異常音の傾向に関する変数Ｎの値が配信中の異常音の傾向に関する定数Ｎｍａｘの値よりも大きい場合（Ｓ３１６／Ｎｏ）、Ｓ３２０に進む。
異常音判定部１０８は、Ｓ３１５の判定の結果、異常音が発生しなかったと判定した場合（Ｓ３１５／Ｎｏ）、Ｓ３１８に進む。
Ｓ３１８において、配信制御部１０９は、配信中の異常音の傾向に関する変数Ｎの値が０より大きいかを比較する。
配信制御部１０９は、Ｓ３１８の判定の結果、配信中の異常音の傾向に関する変数Ｎが０より大きい場合（Ｓ３１８／Ｙｅｓ）、Ｓ３１９に進む。
Ｓ３１９において、配信制御部１０９は、配信中の異常音の傾向に関する変数Ｎの値を１小さくする。また、配信制御部１０９は、Ｓ３１８の判定の結果、配信中の異常音の傾向に関する変数Ｎが０である場合（Ｓ３１８／Ｎｏ）、Ｓ３２０に進む。
【００１８】
Ｓ３２０において、配信制御部１０９は、配信中の音量の傾向に関する変数Ｍの値と異常音の傾向に関する変数Ｎの値との合計値と配信を継続するかを判定する定数Ｘの値とを比較する。配信を継続するかを判定する定数Ｘの値は、例えば３であり、また、配信を継続するかを判定する定数Ｘの値はメモリ１０６に格納されている。
配信制御部１０９は、Ｓ３２０の判定の結果、配信中の音量の傾向に関する変数Ｍの値と異常音の傾向に関する変数Ｎの値との合計値が、配信を継続するかを判定する定数Ｘ以下である場合（Ｓ３２０／Ｙｅｓ）、Ｓ３２１へ進む。
Ｓ３２１において、配信制御部１０９は、通信部１１０へ各データを送信する終了を終了する。また、配信制御部１０９は、音声データのみ配信を終了させてもよい。また、配信制御部１０９は、メモリ１０６内の可搬メモリ内にデータを格納する処理を行っている場合、可搬メモリ内の音声データの格納、又は、画像ファイル及び音声データの格納の処理を終了させてもよい。
配信制御部１０９は、Ｓ３２０の判定の結果、配信中の音量の傾向に関する変数Ｍの値と異常音の傾向に関する変数Ｎの値との合計値が、配信を継続するかを判定する定数Ｘより大きい場合（Ｓ３２１／Ｎｏ）、通信部１１０へ各データの送信を継続させる。そして、配信制御部１０９は、Ｓ３０７へ戻る。
【００１９】
本実施形態によれば、音声内における特定の音を検知し、映像と音声との何れか又は双方の出力を開始し、一定期間、特定の音の発生もなく、一定期間、音量も設定された値より小さい場合、出力の終了を行うことができる。よって、プライバシーの保護と監視機能強化との両立を図ることができる。
【００２０】
＜実施形態３＞
上述した実施形態では、特徴量抽出部１０７等をハードウェア構成として撮像装置１００に実装した例を示した。しかし、特徴量抽出部１０７等はソフトウェア構成として撮像装置１００に実装してもよい。
図４（Ａ）は、実施形態３の撮像装置１００のハードウェア構成の一例を示す図である。図４（Ａ）に示されるように、撮像装置１００は、ハードウェア構成として、撮像光学系１０１、画像処理部１０２、マイクロフォン１０３、アンプ１０４、Ａ／Ｄ変換器１０５、メモリ１０６、ＣＰＵ１２０、通信装置１２１を含む。そして、各ハードウェア構成は、バス１３０を介して互いに通信可能に接続されている。本実施形態では、特に言及しない限り上述した実施形態で説明したハードウェア構成については説明を省略する。ＣＰＵ１２０は、撮像装置１００の全体を制御する。メモリ１０６は、画像ファイル、音声データ等を記憶すると共に、プログラムを記憶する。通信装置１２１は、撮像装置１００をネットワーク、又は外部装置と接続するための装置である。撮像装置１００は、通信装置１２１を介して、有線、又は無線でネットワーク、又は外部装置と接続される。ＣＰＵ１２０がメモリ１０６に記憶されたプログラムに基づき処理を実行することによって図４（Ｂ）に示される撮像装置１００のソフトウェア構成が実現される。また、ＣＰＵ１２０がメモリ１０６に記憶されたプログラムに基づき処理を実行することによって上述した図２、図３のフローチャートの処理のすべて又は一部の処理が実現される。
【００２１】
図４（Ｂ）は、実施形態３の撮像装置１００のソフトウェア構成の一例を示す図である。図４（Ｂ）に示されるように、撮像装置１００は、ソフトウェア構成として、特徴量抽出部１０７、異常音判定部１０８、配信制御部１０９、通信部１１０を含む。
特徴量抽出部１０７は、例えば、Ａ／Ｄ変換器１０５の出力の音声データに対してメル周波数ケプストラム係数（ＭＦＣＣ）を導出し、知覚特性を考慮して重みづけした特徴量を導出する。
異常音判定部１０８は、特徴量抽出部１０７から出力される特徴量とメモリ１０６に格納されている異常音に関する特徴量との尤度計算を実施し、特徴量抽出部１０７から出力された特徴量から、異常音が含まれているか否かを判定する。そして、異常音判定部１０８は、判定結果を配信制御部１０９へ通知する。
配信制御部１０９は、メモリ１０６に一時的に保存されている画像ファイルを通信部１１０へ出力する。また、配信制御部１０９は、異常音判定部１０８からの異常音が含まれているか否かの通知を受けて、メモリ１０６に一時的に保存されている音声データも通信部１１０へ出力する。配信制御部１０９は、メモリ１０６に保存されている、音声データに含まれる音声の音量に関する情報をモニタし、画像ファイルや音声データを通信部１１０へ出力するかを判定する。配信制御部１０９は、異常音判定部１０８からの異常音が含まれているか否かの通知を受けて、メモリ１０６に一時的に保存されている画像ファイルと音声データとをメモリ１０６内の可搬メモリにコピーする処理を取ってもよい。
通信部１１０は、通信装置１２１を介して、例えば、ＴＣＰ／ＩＰやＵＤＰといった伝送するネットワークプロトコルに合わせて画像ファイルと音声データとの配信を実施する。
【００２２】
本実施形態の構成によっても、上述した各実施形態と同様の効果を奏することができる。
【００２３】
＜その他の実施形態＞
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００２４】
以上、本発明の実施形態の一例について詳述したが、本発明は係る特定の実施形態に限定されるものではない。
例えば、図４（Ａ）のＣＰＵ１２０に替えてＧＰＵ（Ｇｒａｐｈｉｃｓ  Ｐｒｏｃｅｓｓｉｎｇ  Ｕｎｉｔ）を用いることとしてもよい。また、図４（Ａ）の例では、画像処理部１０２をハードウェア構成としたが、ソフトウェア構成として撮像装置１００に実装してもよい。
また、上述した実施形態では、撮像装置１００を例に説明を行ったが、一つ以上の撮像装置１００と接続された情報処理装置が、上述した情報処理を行うようにしてもよい。即ち、情報処理装置が、実施形態３のソフトウェア構成を有し、接続された一つ以上の撮像装置１００で撮像された画像に係る画像ファイルと集音された音声に係る音声データとの何れか又は双方の出力の開始、終了を制御するようにしてもよい。この場合、情報処理装置は、ハードウェア構成として、少なくとも、ＣＰＵ、通信装置、メモリを有し、ＣＰＵがメモリに記憶されたプログラムに基づき処理を実行することによってソフトウェア構成等が実現される。
【００２５】
以上、上述した各実施形態の処理によれば、プライバシーの保護と監視機能強化との両立を図ることができる。
【符号の説明】
【００２６】
１００  撮像装置
１０６  メモリ
【図１】
2018186412.tif 000003
【図２】
2018186412.tif 000004
【図３】
2018186412.tif 000005
【図４】
2018186412.tif 000006